【事件の表示】
　平成１１年特許願第３６０６１９号「パチンコ機」拒絶査定不服審判事件〔平成１２年　５月１６日出願公開、特開２０００−１３５３６４〕について、次のとおり審決する。
【結　論】
　本件審判の請求は、成り立たない。
【理　由】
１．手続きの経緯、本願発明
　本願は、平成２年９月２９日に出願された特願平２−２６１７１１号の一部を、平成９年９月２９日に新たに出願（特願平９−２８１４７１号）し、さらにこの出願の一部を、平成１１年１２月２０日に新たに出願したものであって、平成１５年９月１２日付けで拒絶査定がなされ、これに対し、同年１０月２３日に拒絶査定に対する審判請求がなされたものであり、その請求項１，２に係る発明は、平成１４年９月１８日付けの手続補正書、平成１５年１１月１２日付けの手続補正書、及び、当審で提出された平成１６年９月２７日付けの手続補正書により補正された明細書及び図面の記載からみて、その特許請求の範囲の請求項１，２に記載されたとおりのものと認められるところ、請求項１に係る発明は次のとおりのものと認める。（以下、「本願発明」という。）
　
【請求項１】球貸釦とカードリーダライタを接続したカードリーダライタ制御回路が接続されると共に、貸出球または賞品球を排出する賞品球排出装置が接続され、
かつ、入賞口へ入賞したことを検出する入賞口センサと接続される遊技制御回路からの、入賞口への入賞に基づく賞品球数信号が送信される本体制御回路と、入賞口を備えた遊技盤とを有するパチンコ機において、
管理コンピュータとの中継を行なう売上信号端子が接続され、かつ前記遊技制御回路が分離して接続される前記本体制御回路は、前記球貸釦の操作に基づくカードリーダライタ制御回路から出力される球貸し信号により貸出球の排出を行なうための賞品球排出装置を駆動制御し、前記駆動制御による球の検出を判定し検出されるとカウンタに加算して、カウンタが予め設定された１単位の貸球数に達する毎に、賞品球排出装置の駆動を停止制御させる球貸処理による球貸し信号を前記管理コンピュータに出力するようにしたことを特徴とするパチンコ機。
　
２．当審の拒絶理由
　一方、当審において平成１６年７月３０日付けで通知した拒絶の理由の概要は、本願発明は、本願の出願前に頒布された刊行物である下記の引用例１乃至４に記載された発明に基づいて当業者が容易に発明をすることができたものであるから、特許法第２９条第２項の規定により特許を受けることができない、というものである。
　
　引用例１：特開昭６４−３４３９０号公報
　引用例２：特開平２−２０３８８３号公報
　引用例３：特開平２−１２８７７９号公報
　引用例４：実願昭６３−１１０６９６号（実開平２−３２８８７号）のマイクロフィルム
　
２−１．引用例に記載された発明
（１）引用例１［特開昭６４−３４３９０号公報］には、遊技機に関し、
(1-1)　第１頁左欄第５−１８行には、「遊技用媒体を払出す遊技用媒体払出手段を備えた遊技機であって、該遊技機は、所定の遊技用カードが挿入可能なカード挿入口と、前記カード挿入口から挿入されたカードが遊技用媒体の貸出し可能なカードか否かを判別するカード判別手段と、前記カード判別手段が貸出し可能なカードを判別した出力に応答して、所定数量の遊技用媒体を前記遊技用媒体払出手段から払出し、遊技機の賞態様に応じて所定数量の遊技用媒体を前記遊技用媒体払出手段から払出すことを特徴とする、遊技機。」と、
(1-2)　第３頁左上欄第５−１５行には、「さらに、パチンコ遊技機300から貸出した貸玉数、パチンコ遊技機300における打込玉数、補給玉数、その他の玉数データ、および景品玉計数器20で景品交換された玉数などもカードシステム管理装置14へ与えられる。　カードシステム管理装置14は、上述の各装置から送られてくるデータに基づいて、遊技場の売上データ、営業の指針または参考になるデータなどの各種データの収集および分析を行なうとともに、在庫データの管理などに供するためのものである。」と、
(1-3)　第６頁右下欄第１８行−第７頁右上欄第２行には、「前面枠302には、貸玉中表示器338が形成されており、玉を貸出すための装置が駆動中である旨を表示する。またその下方には、カード挿入口340が設けられており、パチンコカードを垂直方向に挿入し得るよう構成されている。さらにその下方には、金額表示器342および貸玉信号指令ボタン344が設けられている。金額表示器342は、パチンコカードに記憶された貸玉可能な金額を表示するためのものである。貸玉信号指令ボタン344は、「1,000円」「500円」「300円」「200円」「100円」の５つのボタンを含み、いずれかのボタンが押されることにより、表示金額に応じた金額分のパチンコ玉の貸出表示をするものである。そして、パチンコカードを挿入し貸玉信号指令ボタン344を操作することにより、パチンコ玉が景品玉出口323から貸出されるように構成されている。  なお、貸玉信号指令ボタンは、上記実施例に限らず、単一の金額ボタン（100円,200円など）を設け、金額ボタンの押圧毎に対応した貸玉を払出すようにしてもよい。また貸玉信号指令ボタンをわざわざ設けずに、パチンコカードを遊技者がカード挿入口へ手動で挿入する毎に単一の金額（100円,200円など）分の貸玉を払出すようにしてもよい。」と、
(1-4)  第７頁右上欄第３行−左下欄第４行には、「前記始動入賞口316a,316b,314には、第９図に示すように、始動入賞玉検出器364a,364b,364cが設けられており、……。また、この検出器の検出出力に基づいて景品玉を一定個数（たとえば７個）払出すよう制御されるのであり、この始動入賞玉検出器364a,364b,364cは入賞玉検出器に兼用構成されている。また、図中、368a,368b,368cは、機構板349に取付けられている入賞玉検出器であり、パチンコ玉の入賞により一定個数（たとえば13個）の景品玉を払出すためのものである。また、366a、366bも入賞玉検出器であり、パチンコ玉の入賞により一定個数（たとえば10個）の景品玉を払出すためのものである。これら入賞玉検出器の検出出力に基づいて、遊技用媒体払出手段の一例である景品玉払出装置352が駆動制御され、景品玉払出装置内のパチンコ玉を景品玉通路354側に送り出し、所定量の景品玉を景品玉出口323から打球供給皿324（第８図参照）に所定量払出すように構成されている。」と、
(1-5)　第７頁左下欄第１８行−右下欄第１０行には、「図中、340はカード挿入口であり、346はカード制御ボックス、348は選択制御ボックスであり、貸玉信号指令ボタン344（第８図参照）に対応しているものである。このカード挿入口340からカードを挿入し、貸玉信号指令ボタン344（第８図参照）を操作することにより、後述するように、景品玉払出装置352が駆動制御され、所定量のパチンコ玉が貸出されるように構成されている。　第９図においては、入賞玉検出器を複数設けたパチンコ遊技機を示したが、この入賞玉検出器を単一のもので構成し、どの入賞口へ入賞しても同じ数の景品球を払出すようにしてもよい。」と、
(1-6)　第８頁右下欄第１６−１８行には、「なお、第11図に示す貸玉制御回路部と遊技を制御する遊技制御回路部は、別々に設けてもよいし、また一体的に設けてもよい。」と、
(1-7)　第９頁右上欄第１７行−左下欄第２行には、「ステップS13に進み、選択金額に応じてモータドライバの制御を行ない、ステップS14により、選択金額に応じた貸玉数の出力があったと判断されるまでその制御を継続させて、パチンコ玉の貸出しを行なう。」と、
(1-8)　第１０頁右上欄第５−１３行には、「したがって、景品玉払出開始信号に基づいて駆動モータ568の回転を開始し、この景品玉検出器574によって払出される景品玉数を計数しながら所定数になったときに駆動モータ568を停止するようにすれば、任意の数の景品玉を払出すことが可能である。  なお、貸玉指令の信号によっても、上記景品玉払出装置を駆動させて対応した貸玉を払出すようにしている。」と、
(1-9)　第１０図には、貸玉信号指令ボタン３４４がカード制御ボックス３４６の近傍に設けられていることが、
(1-10)　第１１図には、カードデータ読取書込装置３８４、貸玉信号指令ボタン３４４、及び、入賞口検出器３６４ａ〜ｃ，３６６ａ，ｂ，３６８ａ〜ｃが、制御部３７８に接続されていることが、
　それぞれ記載されている。
　
　以上の記載より引用例１には、
「貸玉信号指令ボタン３４４とカードデータ読取書込装置３８４が接続されると共に、貸玉または景品玉を払い出す景品玉払出装置３５２が接続され、かつ、入賞口に設けられた入賞玉検出器の検出出力に基づいて景品玉を一定個数払出すよう制御する制御部３７８と、入賞口を備えた遊技機において、カードシステム管理装置１４へデータを与えていると共に、前記制御部３７８は、前記貸玉信号指令ボタン３４４の操作に基づいて出力される貸玉指令の信号により貸玉の払出しを行うための景品玉払出装置３５２を駆動制御し、前記駆動制御により払い出される玉数を計数しながら所定数になったとき景品玉払出装置３５２の駆動モータ５６８を停止させ、貸出した貸玉数、打込玉数及びその他の玉数等を前記カードシステム管理装置１４に与えている遊技機。」との発明（以下、「引用発明」という。）が記載されているものと認められる。
　
（２）引用例２
　引用例２［特開平２−２０３８８３号公報］には、パチンコ遊技機に関し、
(2-1)　第１頁右欄第４−１０行には、「［産業上の利用分野］ この発明は、特定入賞口に遊技球が入賞したときに、可動部材が内部の入賞空間中に遊技球を受け入れ易い状態に変換し、その変換時に入賞空間中の特別入賞口に遊技球を入賞すると、入賞空間中にさらに遊技球を受け入れ易い特別遊技態様に変換するパチンコ遊技機に関する。」と、
(2-2)　第４頁左上欄第１３−１９行には、「遊技中、変動入賞装置50の入賞空間51中の入賞部54,55に遊技球が入賞したときには１回の入賞ごとに通常個数（例えば、13個）の賞球排出（通常排出）が行われ、それ以外の入賞部56,108,109,120,121等に入賞したときには１回の入賞ごとに少ない個数（例えば、10個）の賞球排出（小排出）が行われる。」と、
(2-3)　第４頁右下欄第４−１０行には、「貫通孔1B,1Dの裏側で特定入賞口108,109,109の入賞流路と対応する位置には特定入賞検出器108a（SW2）,109a（SW1）、109a（SW1）がそれぞれ設置され、それら入賞口108,109,109中へ入賞した遊技球を検出するようになっている。」と、
(2-4)　第４頁右下欄第１８行−第５頁左上欄第１１行には、「第５図には第１図に示したパチンコ遊技機の裏機構の構成例を示す。  裏機構盤200の上部には賞品球としての予備球の貯留タンク201が配設され、この貯留タンク201の一端には内部の予備球を自作用的に整列させて誘導する案内樋202が接続されている。  案内樋202は２条の通路を有して緩やかに傾斜され、途中に振り子式の球ならし203と押圧式の球ならし215とが設けられており、それによって、予備球は案内樋202を流下する間に２列に整列される。  そして、上記案内樋202の流下端部に、下部に裏メカ制御装置300が取り付けられた賞品球排出装置220が配設されている。」と、
(2-5)　第５頁左下欄第１１−１５行には、「裏機構盤200の上部には、ターミナル基板210が取り付けられ、該ターミナル基板210にはアラームスイッチ出力端子211、補球要求スイッチ出力端子212および球抜き指令入力端子213が設置されている。」と、
(2-6)　第６頁左上欄第１６行−右上欄第６行には、「また、裏機構盤200には、上記賞品球排出装置220やオーバーフロー検出器255からの検出信号により打球発射の停止、各種表示装置の駆動などパチンコ遊技機全体の電気的な制御を行なうための裏メカ制御装置300が前記賞品球排出装置220と一体的に設置され、遊技盤100前面の特定入賞口108,109や変動入賞装置50の特別入賞口54等に内蔵された検出器からの検出信号に基づいてそれらの遊技動作を制御する遊技内容（役物）制御装置600が設置されている。」と、
(2-7)　第８頁右上欄第１５行−右下欄第３行には、「第10図には、上記のように構成されたパチンコ遊技機に設置された役物制御装置600の制御回路図の一例を示す。  同図において、符号600Aを付して示すものは制御装置としてのコンピュータシステムを構成する演算制御手段としての中央処理装置（CPU）である。  この中央処理装置600Aにはアドレスバスに沿って読出し専用メモリたるROM（固定データ記憶手段）601、読出しと書込みが可能なメモリたるRAM（変動データ記憶手段）602およびアドレスデコーダ603が設置されている。  前記ROM601は制御データ領域および表示符号記憶領域を有し、該ROM601には前記セーフセンサ1,2の検出に基づきそれに対応する賞球数を生成せしめる賞球数生成手段、セーフセンサ1,2によって検出された入賞球と対応する賞球数を時系列化して出力するための賞球数整列出力手段、通常遊技時および特別遊技態様時における各種ランプの点滅、変動入賞装置50の可動部材53,53の開閉制御などの固定データが記憶されている。前記RAM602はデータ記憶領域を有し、該RAM602には始動入賞口108,108,109中に設置された特定入賞検出器としての検出スイッチSW2,SW1,SW1からの検出信号を一時的に記憶したり、変動入賞装置50の裏側下部に設置された入賞個数検出器129（セーフセンサ１）からの検出信号をカウントして一時的に記憶する記憶部などを備えている。」と、
(2-8)　第１１頁右上欄第６行−左下欄第３行には、「また、遊技中（通常遊技、特別遊技共）、変動入賞装置50の一般入賞口55中に入賞した遊技球はセーフセンサ１（129）に検出されその検出信号が中央処理装置600Aに入力されてカウントされた後、そのカウント数がRAM602中に記憶される。その記憶があるときにはROM601中の固定データとしての賞球数設定手段により多い排出数（例えば、13個）にセットされる。それがラッチ回路651にラッチされ、賞球数出力手段としての賞球数出力器663により裏メカ制御装置300に出力されて、賞品球排出装置220による通常数の排出が行われる。  それ以外の入賞部56,108,109,120,121（変動入賞装置50の入賞空間51中以外の入賞部）に入賞したときには賞球数設定器により少ない排出数（例えば、７個）にセットされて賞品球排出装置220による少数の排出が行われる。」と、
(2-9)　第２８頁右下欄第４行−第２９頁左上欄第１９行には、「この実施例においては、パチンコ遊技機の遊技盤100側に入賞球の検出手段（セーフセンサ1,2）、該検出手段による検出に基づいて前記入賞球に対応する賞球数を生成せしめる賞球数生成手段およびその生成した賞球数を出力する賞球数出力手段（賞球数出力器663）が設置される一方、排出制御機構側に、前記賞球数出力手段から送られてくる賞球数出力を読み取る賞球数読取り手段（マイクロコンピュータ300A）およびその読み取った賞球数分の賞品球を排出する賞球排出手段が設置され、前記検出手段による前記入賞球の検出に基づき、前記賞球数読取り手段によって、前記賞球数生成手段によって生成された対応する賞球数を前記賞球数出力手段から読み取り、その読み取った賞球数分の賞球を前記賞球排出手段によって排出するようにしているので、従来のように賞球数の異なる遊技盤100ごとに賞球数設定の異なる賞品球排出装置を用意する必要がなくなる。また裏メカ制御装置300に賞球数設定変更部を設けてその変更部を調整する必要がないので、その調整による賞球数の設定ミスが皆無となる。また、遊技盤100の交換時における賞球数の設定変更作業が不要となるとともに、入賞口毎に異なる複数の賞球数を有する遊技盤100に対して賞品球排出装置200側での対応が不要となる。また、排出制御機構部の組付け部品の統一化が図れることにより、その大量生産が可能となる。また、遊技店側で賞球数の設定変更が容易にできないので、不正を防止できる。  なお、上記実施例ではセーフ球の検出手段とセーフ球の検出に基づいて該セーフ球に対応する賞球数を生成せしめる賞球数生成手段とその生成した賞球数を出力する賞球数出力手段とで構成される賞球数変換制御手段を役物制御装置600に設けた構成としたが、役物制御装置600と別個に設けてもよい。」と、
(2-10)　第５図には、案内樋２０２が賞品球排出装置２２０の上流側であることが、
　それぞれ記載されている。
　
（３）引用例４
　引用例４［実願昭６３−１１０６９６号（実開平２−３２８８７号）のマイクロフィルム］には、遊技機の制御方式に関し、
　第３４頁第１７行−第３５頁第９行に「第２１図にパチンコ機１００と制御ユニット１６０からなる遊技機全体の制御システムの構成例が示されている。　同図において１８８は、第２６図に示されているカードリーダ８００の各構成部品たる搬送モータ８０７、磁気ヘッド８２１、穿孔装置８２０等を制御するカードリーダ制御装置である。そして、このカードリーダ制御装置１８８およびパチンコ機制御装置１９５と制御ユニット１６０に設けられた各種スイッチ１７１，１７９や表示器１６２，１６３，１６４，１６８、スピーカ１６６は、ユニット制御装置１８０によって制御されるようになっている。」と記載されている。
　
３．本願発明と引用発明との対比・判断
（１）本願発明と引用発明との対比
　本願発明と引用発明とを対比すると、引用発明の「貸玉信号指令ボタン３４４」「カードデータ読取書込装置３８４」「貸玉」「景品玉」「景品玉払出装置３５２」「入賞口」「入賞玉検出器」「遊技機」「カードシステム管理装置１４」は、それぞれ、本願発明における「球貸釦」「カードリーダライタ」「貸出球」「賞品球」「賞品球排出装置」「入賞口」「入賞口センサ」「パチンコ機」「管理コンピュータ」に相当する。
　また、引用発明の「制御部３７８」は、貸玉信号指令ボタン３４４とカードデータ読取書込装置３８４が接続されると共に、貸玉または景品玉を払い出す景品玉払出装置３５２が接続され、かつ、入賞口に設けられた入賞玉検出器の検出出力に基づいて景品玉を一定個数払出すよう制御するなどという機能に照らし、本願発明の「遊技制御回路」及び「本体制御回路」と、「制御回路」であることで共通する。
　また、引用発明の「カードシステム管理装置１４へデータを与えている」ことと、本願発明の「管理コンピュータとの中継を行なう売上信号端子」を設けることとは、「管理コンピュータとの中継を行なう」ことで共通する。
　また、引用発明の「貸玉信号指令ボタン３４４の操作に基づいて出力される貸玉指令の信号により貸玉の払出しを行うための景品玉払出装置３５２を駆動制御し、前記駆動制御により払い出される玉数を計数しながら所定数になったとき景品玉払出装置３５２の駆動モータ５６８を停止」させることと、本願発明の「球貸釦の操作に基づくカードリーダライタ制御回路から出力される球貸し信号により貸出球の排出を行なうための賞品球排出装置を駆動制御し、前記駆動制御による球の検出を判定し検出されるとカウンタに加算して、カウンタが予め設定された１単位の貸球数に達する毎に、賞品球排出装置の駆動を停止制御させる」こととは、「球貸釦の操作に基づいて出力される球貸し信号により貸出球の排出を行なうための賞品球排出装置を駆動制御し、前記駆動制御による球の検出を判定し検出されるとカウンタに加算して、カウンタが予め設定された貸球数に達している場合に、賞品球排出装置の駆動を停止制御させる」ことで共通する。
　そうすると、本願発明と引用発明の両者は「球貸釦とカードリーダライタが接続されると共に、貸出球または賞品球を排出する賞品球排出装置が接続され、かつ、入賞口へ入賞したことを検出する入賞口センサと接続され、入賞口への入賞に基づく賞品球数信号が送信される制御回路と、入賞口を備えた遊技盤とを有するパチンコ機において、管理コンピュータとの中継を行なうように接続され、前記制御回路は、前記球貸釦の操作に基づいて出力される球貸し信号により貸出球の排出を行なうための賞品球排出装置を駆動制御し、前記駆動制御による球の検出を判定し検出されるとカウンタに加算して、カウンタが予め設定された貸球数に達している場合に、賞品球排出装置の駆動を停止制御させるパチンコ機」である点で一致し、
　
　以下の点で相違しているものと認められる。
・相違点１
　本願発明は、遊技制御回路が、本体制御回路に分離して接続されているのに対し、引用発明は、遊技制御回路と本体制御回路の双方の機能を、一つの制御部で担っている点。
・相違点２
　球貸釦とカードリーダライタが、本願発明では、カードリーダライタ制御回路を介して本体制御回路に接続されているのに対し、引用発明では、直接制御部に接続されている点。
・相違点３
　本願発明は、本体制御回路が、管理コンピュータと接続する売上信号端子と接続し、貸球数の排出が予め設定された１単位の貸球数に達する毎に、賞品球排出装置の駆動を停止制御させる球貸処理による球貸し信号を前記管理コンピュータに出力するようにしているのに対し、引用発明は、制御部が、管理コンピュータと接続する端子と接続しているか否かは不明であり、また、賞品球排出装置の駆動を停止制御させる予め設定された貸球数が１単位であるか不明であり、さらに、貸出した貸玉数をパチンコ機から管理コンピュータへ出力している点。
　
（２）当審の判断
　上記相違点について検討すると、
i.相違点１について
　引用発明を認定した引用例１には、上記摘示(1-6)のように、遊技制御回路と貸玉制御回路を別々に設けてもよいことが示唆されており、引用発明の制御部３７８は遊技制御回路と貸玉制御回路とそれ以外の部分に分離可能であるといえる。
　そして、引用例２には、本願発明の「遊技制御回路」に相当する役物制御回路６００と、本願発明の「本体制御回路」に相当する裏メカ制御回路３００とが分離して接続されていることと、前記役物制御回路６００が入賞口へ入賞したことを検出する入賞検出器と接続され、前記裏メカ制御回路３００が前記役物制御回路６００から入賞口に入賞したときの賞球数を入力されると共に賞品球排出装置を駆動制御していることが記載されている。
　してみると、引用発明の制御部３７８が互いに分離可能に接続される複数の制御回路で構成されることが可能である以上、引用例２に記載の所定の機能をそれぞれ果たす互いに分離して接続される役物制御回路６００及び裏メカ制御回路３００の構成を引用発明に適用して相違点１に係る発明の構成に到ることは、引用例２に接した当業者であれば容易になし得る程度のものというべきである。
ii.相違点２について
　引用発明を認定した引用例１には、貸玉信号指令ボタン３４４はカード制御ボックス３４６近傍に配置され、カードデータ読取書込装置３８４やカード搬送機構３８２等はカード制御ボックス３４６に備えられていることが記載され、該カード制御ボックス３４６が制御回路を備えていることは明示されていないが、その名称からみてカードデータ読取書込装置３８４やカード搬送機構３８２等自体あるいはカード制御ボックス３４６内に何らかの制御手段を備えることは当業者であれば当然想起し得る事項であり、引用例４にカードリーダ８００がカードリーダ制御装置１８８を介してその他の制御装置等に接続されていることが記載されていること、及び、相違点１で検討した制御部３７８が遊技制御回路及び本体制御回路で構成されることを併せて考慮すれば、引用発明においてカードリーダライタをカードリーダライタ制御回路を介して本体制御回路に接続することは、当業者にとって格別困難なことではない。
　そして、引用発明における貸玉信号指令ボタン３４４は、位置的にも機能的にもカードデータ読取書込装置３８４に密接に関連するものであるから、カードリーダに加え、カードリーダライタ制御回路を介して本体制御回路に接続して相違点２に係る本願発明の構成に到ることは、当業者が容易になし得る程度のものである。
iii.相違点３について
　引用発明は、貸出した貸玉数及びその他の玉数のデータをカードシステム管理装置１４（管理コンピュータ）へ出力しており、端子から前記データを出力しているか否か不明であるが、パチンコ機から機外へ何らかの信号を端子から出力することが引用例２（上記摘示(2-7)参照）等に記載されているように周知技術であることを考慮すれば、引用発明の貸出した貸玉数及びその他の玉数のデータを端子から出力することは当業者にとって自明な事項であり、貸出した貸玉数、打込玉数及びその他の玉数のデータは売り上げに関連するデータであるといえるから、前記端子を売上信号端子とすることは当業者にとって格別困難なことではない。
　そして、引用発明を認定した引用例１（上記摘示(1-3)参照）には、景品玉払出装置３５２が駆動制御されることにより、景品玉あるいは貸出玉が払い出されるように構成され、貸出玉は、単一の金額ボタン（１００円など）からなる貸玉信号指令ボタンの押圧毎に対応した分が払い出されるようにするか、あるいは、貸玉信号指令ボタンを設けずにパチンコカードを遊技者がカード挿入口へ手動で挿入する毎に単一の金額（１００円など）分を払い出されるようにしたことが記載されており、賞品球排出装置の駆動を停止制御させる予め設定された貸球数が１単位であることは当業者にとって自明である。
　そうすると、引用発明における管理コンピュータへ出力される貸球数は、１単位の貸球数の整数倍であり、引用発明のようにパチンコ機に累積された貸球数を適時管理コンピュータへ出力するか、１単位の貸球が排出される毎の信号をパチンコ機から管理コンピュータに出力して該管理コンピュータにおいて当該パチンコ機の累積貸球数を算出するかによって管理コンピュータで取り扱うデータに特段の相違があるわけでもなく、また、パチンコ機及び管理コンピュータのそれぞれにデータを算出する負荷を適正に分担させたにすぎないことであるともいえるので、引用発明において、貸球数の排出が予め設定された１単位の貸球数に達する毎に、賞品球排出装置の駆動を停止制御させる球貸処理による球貸し信号を管理コンピュータに出力する構成とすることは、パチンコホールの管理形態に応じて当業者が適宜決定し得た単なる設計的事項にすぎないものというべきである。
　
　そして、本願発明に係る遊技盤および遊技制御回路を交換しやすい等という作用効果は、引用発明、引用例２，４に記載の発明及び周知技術から当業者が予測し得るものである。
　したがって、本願発明は、引用発明、引用例２，４に記載の発明及び周知技術に基づいて当業者が容易に発明をすることができたものである。
　
４．むすび
　以上のとおり、本願発明は、引用発明、引用例２，３に記載の発明及び周知技術に基づいて当業者が容易に発明をすることができたものと認められるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。